(57)【要約】  【課題】方開口部を通しての物品の出し入れに際しての不便をきたさないようにしつつ、地震等の大きな揺れが発生したときにはすみやかに物品飛び出し作用が得られるようにする。  【解決手段】棚Ｔの側方開口部４０Ｆ、４０Ｒを開閉するためのシャッタ部材３０Ｆ、３０Ｒが設けられる。棚７の高所に、永久磁石２２の磁力によって重り２１が保持され、磁力による保持が失われたときに重り２１が自重によって落下される。シャッタ部材３０Ｆ、３０Ｒと重り２１とがワイヤＷによって連結される。重り２１が棚Ｔの高所に保持されているときはシャッタ部材３０Ｆ、３０Ｒが側方開口部４０Ｆ、４０Ｒを開いた開位置とされる一方、重り２１が自重により落下するときにワイヤＷを介してシャッタ部材３０Ｆ、３０Ｒが閉位置に向けて変位される。【選択図】  図２
2009261449.tif 000002
【特許請求の範囲】
【請求項１】
棚に収納された物品が側方開口部を通して外部へ飛び出すのを防止する物品飛び出し防止装置であって、
前記側方開口部を開閉するためのシャッタ部材と、
永久磁石の磁力によって棚の高所に保持され、磁力による保持が失われたときに自重によって落下される重りと、
前記シャッタ部材と重りとを連結するワイヤと、
を備え、
前記重りが棚の高所に保持されているときは前記シャッタ部材が前記側方開口部を開いた開位置とされる一方、前記重りが自重により落下するときに前記ワイヤを介して前記シャッタ部材が閉位置に向けて変位される、
ことを特徴とする物品飛び出し防止装置。
【請求項２】
請求項１において、
前記シャッタ部材が、可撓性を有するシート状として構成され、
前記シャッタ部材は、開位置ではロール状に巻回された状態でもって前記側方開口部の外周縁部に沿って配設されて、該ロール状の巻回状態から引き出されることにより閉位置に向けて変位される、
ことを特徴とする物品飛び出し防止装置。
【請求項３】
請求項２において、
前記シャッタ部材が、開位置にあるときは棚の底板下方においてロール状に巻き取られた状態で位置されて、開位置から上方に向けて引き出されることにより閉位置とされる、ことを特徴とする物品飛び出し防止装置。
【請求項４】
請求項１または請求項２において、
前記シャッタ部材が、上分割シャッタ部材と下分割シャッタ部材との上下２つの分割構成とされ、
前記上分割シャッタ部材は下方に向けて変位されることにより閉位置とされる一方、前記下分割シャッタ部材は上方に向けて変位されることにより閉位置とされる、
ことを特徴とする物品飛び出し防止装置。
【請求項５】
請求項１ないし請求項４のいずれか１項において、
棚が複数の側方開口部を有し、
前記複数の側方開口部に対応して複数のシャッタ部材を有し、
前記重りが１つのみ設けられて、該１つの重りが前記ワイヤを介して前記複数のシャッタ部材に対して接続されている、
ことを特徴とする物品飛び出し防止装置。
【請求項６】
請求項５において、
前記複数のシャッタ部材がそれぞれ、開位置ではロール状に巻回された状態とされ、
前記複数のシャッタ部材が互いに連動機構を介して連結され、
前記複数のシャッタ部材がそれぞれ閉位置にあるとき、回転治具によって１つの前記シャッタ部材を開位置に向けて巻き取り操作することにより、他のシャッタ部材も開位置に向けて巻き取られる、
ことを特徴とする物品飛び出し防止装置。
【請求項７】
請求項１ないし６のいずれか１項において、
棚の高所に設定された取付部が下方に臨む水平な取付面を有して、該取付面に対して前記重りが前記永久磁石の磁力によって下方から吸着、保持され、
前記重りまたは前記取付部が円柱部分を有して、該円柱部分の端面形状となる円形形状でもって前記重りが前記取付面に対して吸着、保持され、
前記重りが前記取付面に吸着、保持されている状態において、前記重りの側方側にはその全周囲に空隙を有するように設定されている、
ことを特徴とする物品飛び出し防止装置。
【請求項８】
請求項１ないし請求項７のいずれか１項において、
前記シャッタ部材には、閉位置とされたときの表面側に、避難方向を示す案内表示が施されている、ことを特徴とする物品飛び出し防止装置。
【請求項９】
請求項１ないし請求項８のいずれか１項において、
棚が、前記側方開口部が常時開放された状態で使用される販売用商品の陳列棚とされている、ことを特徴とする物品飛び出し防止装置。
【請求項１０】
請求項１ないし請求項９のいずれか１項において、
前記ワイヤが、棚の枠部材に沿って配設されている、
ことを特徴とする物品飛び出し防止装置。
【請求項１１】
請求項１ないし請求項１０のいずれか１項において、
棚に収納された物品が側方開口部を通して外部へ飛び出すのを防止すると共に、棚に対して後付けで取付けられる物品飛び出し防止装置であって、
前記側方開口部の周縁部に沿う形状とされ、前記棚に固定される枠体と、
前記枠体の開口部を開閉するためのシャッタ部材と、
前記枠体の高所に永久磁石の磁力によって保持され、磁力による保持が失われたときに自重によって落下される重りと、
前記シャッタ部材と重りとを連結するワイヤと、
を備え、
前記重りが前記枠体の高所に保持されているときは前記シャッタ部材が前記開口部を開いた開位置とされる一方、前記重りが自重により落下するときに前記ワイヤを介して前記シャッタ部材が前記開口部を覆う閉位置に向けて変位される、
ことを特徴とする物品飛び出し防止装置。
【発明の詳細な説明】
【技術分野】
【０００１】
本発明は、物品飛び出し防止装置に関するものである。
【背景技術】
【０００２】
棚は、陳列棚、収納棚、搬送用棚等種々の形式があるが、棚に対する物品の出し入れは、棚の側方開口部を通して行われることになる。このような側方開口部を有する棚にあっては、例えば地震や車両による搬送時の大きな揺れによって、棚内の物品が側方開口部を通して外部へ飛び出ししまうおそれが多分にある。特許文献１，特許文献２には、左右一対の側板間において、側方開口部を跨ぐようにして飛び出し防止柵を設けることにより、物品が側方開口部を通して外部へ飛び出るの防止するものが開示されている。
【特許文献１】特開２００２−２０９６８８号公報
【特許文献２】特開２００２−３３６０６７号公報
【発明の開示】
【発明が解決しようとする課題】
【０００３】
ところで、棚の中には、側方開口部を常時大きく開放した状態で使用されるものがある。例えばスーパーマケット等の陳列棚においては、棚板上に置かれた商品に対して顧客が頻繁にアクセスすることになる。したがって、このような棚にあっては、特許文献１や特許文献２に示すように側方開口部を跨るように飛び出し防止柵を設けたのでは、この飛び出し防止柵が邪魔となって棚板上の商品に対してアクセスしにくいものとなり、到底採用しがたいものである。
【０００４】
本発明は以上のような事情を勘案してなされたもので、その目的は、側方開口部を通しての物品の出し入れに際しての不便をきたさないようにしつつ、地震等の大きな揺れが発生したときにはすみやかに物品飛び出し作用を得ることのできるようにした物品飛び出し防止装置を提供することにある。
【課題を解決するための手段】
【０００５】
前記目的を達成するため、本発明にあっては次のような第１の解決手法を採択してある。すなわち、特許請求の範囲における請求項１に記載のように、
棚に収納された物品が側方開口部を通して外部へ飛び出すのを防止する物品飛び出し防止装置であって、
前記側方開口部を開閉するためのシャッタ部材と、
永久磁石の磁力によって棚の高所に保持され、磁力による保持が失われたときに自重によって落下される重りと、
前記シャッタ部材と重りとを連結するワイヤと、
を備え、
前記重りが棚の高所に保持されているときは前記シャッタ部材が前記側方開口部を開いた開位置とされる一方、前記重りが自重により落下するときに前記ワイヤを介して前記シャッタ部材が閉位置に向けて変位される、
ようにしてある。
【０００６】
上記第１の解決手法によれば、通常は、シャッタ部材を開位置としておくことにより、側方開口部は大きく開放された状態とされ、棚に対する物品の出し入れに不便をきたすことがない。地震等によって大きな揺れが発生したときは、重りが永久磁石の磁力に抗してその自重により落下し、この重りの落下に伴ってシャッタ部材が閉位置とされて、棚内の物品が側方開口部を通して外部へ飛び出してしまうことが防止される。また、ワイヤを介して接続なので、シャッタ部材と重りとの配置関係等の自由度の高いものとなる。さらに、永久磁石の磁力を利用して重りの保持作用を得つつ、大きな揺れが発生したときは永久磁石の磁力による保持作用が解放されて重りが自重によって落下するようにしたので、構造も極めて簡単である。
【０００７】
上記解決手法を前提とした好ましい態様は、特許請求の範囲における請求項２〜請求項１０に記載のとおりである。すなわち、
前記シャッタ部材が、可撓性を有するシート状として構成され、
前記シャッタ部材は、開位置ではロール状に巻回された状態でもって前記側方開口部の外周縁部に沿って配設されて、該ロール状の巻回状態から引き出されることにより閉位置に向けて変位される、
ようにしてある（請求項２対応）。この場合、開位置にあるシャッタ部材を、ロール状に巻回された小さな状態に収納しておくことができる。また、ロール状であるから、閉位置とするためのシャッタ部材の引き出しもスムーズに行うことが可能になる。また、シャッタ部材を極力軽量に構成する上でも好ましいものとなる。
【０００８】
前記シャッタ部材が、開位置にあるときは棚の底板下方においてロール状に巻き取られた状態で位置されて、開位置から上方に向けて引き出されることにより閉位置とされる、ようにしてある（請求項３対応）。この場合、側方開口部は下方から上方へとシャッタ部材によって順次閉じられることになる。この一方、地震による大きな揺れのときは、下方にある物品から先に側方開口部を通して外部へ飛び出すことが多いことから、この先に飛び出す可能性の高い下方に位置する物品の飛び出しを確実に防止する上で好ましいものとなる。また、開位置にあるシャッタ部材は、底板の下方にロール状に巻回した状態で収納されるので、棚の通常使用時にシャッタ部材が邪魔になることもなく、また外観上の見栄えを確保する上でも好ましいものとなる。
【０００９】
前記シャッタ部材が、上分割シャッタ部材と下分割シャッタ部材との上下２つの分割構成とされ、
前記上分割シャッタ部材は下方に向けて変位されることにより閉位置とされる一方、前記下分割シャッタ部材は上方に向けて変位されることにより閉位置とされる、
ようにしてある（請求項４対応）。この場合、側方開口部が全て閉じられるまでの時間を極力短くする上で好ましいものとなる。また、各分割シャッタ部材は小型、軽量となり、そのスムーズな動きを確保する上でも好ましいものとなる。
【００１０】
棚が複数の側方開口部を有し、
前記複数の側方開口部に対応して複数のシャッタ部材を有し、
前記重りが１つのみ設けられて、該１つの重りが前記ワイヤを介して前記複数のシャッタ部材に対して接続されている、
ようにしてある（請求項５対応）。この場合、１つの重りで複数のシャッタ部材を作動させることができ、部品点数の削減やコスト低減の上で好ましいものとなる。
【００１１】
前記複数のシャッタ部材がそれぞれ、開位置ではロール状に巻回された状態とされ、
前記複数のシャッタ部材が互いに連動機構を介して連結され、
前記複数のシャッタ部材がそれぞれ閉位置にあるとき、回転治具によって１つの前記シャッタ部材を開位置に向けて巻き取り操作することにより、他のシャッタ部材も開位置に向けて巻き取られる、
ようにしてある（請求項６対応）。この場合、複数のシャッタ部材を閉位置から開位置へ復帰させるための作業を、１つのシャッタ部材についての開位置への復帰作業を行うことにより達成でき、開位置への復帰作業を軽減する上で好ましいものとなる。
【００１２】
棚の高所に設定された取付部が下方に臨む水平な取付面を有して、該取付面に対して前記重りが前記永久磁石の磁力によって下方から吸着、保持され、
前記重りまたは前記取付部が円柱部分を有して、該円柱部分の端面形状となる円形形状でもって前記重りが前記取付面に対して吸着、保持され、
前記重りが前記取付面に吸着、保持されている状態において、前記重りの側方側にはその全周囲に空隙を有するように設定されている、
ようにしてある（請求項７対応）。この場合、全方向からの揺れであっても、所定の揺れの強さになった時点でもって確実に永久磁石を磁石吸着部材から離間させて、シャッタ部材を閉位置へ向けて作動させる上で好ましいものとなる。
【００１３】
前記シャッタ部材には、閉位置とされたときの表面側に、避難方向を示す案内表示が施されている、ようにしてある（請求項８対応）。この場合、スーパマーケット、百貨店等の多人数で混み合うと共に売り場面積が広い場所において、地震の揺れがあったときに、避難経路を誘導する上で好ましいものとなる。
【００１４】
棚が、前記側方開口部が常時開放された状態で使用される販売用商品の陳列棚とされている、ようにしてある（請求項９対応）。この場合、多くの人が棚上の商品にアクセスすることになる販売用商品の陳列棚において、シャッタ部材を開位置としておくことにより、シャッタ部材に邪魔されることなく、棚内の商品に対して自由にアクセスすることができる。
【００１５】
前記ワイヤが、棚の枠部材に沿って配設されている、
ようにしてある（請求項１０対応）。この場合、重りやワイヤの存在が、棚本来の機能を損なわないようにする上で好ましいものとなる。
【００１６】
前記目的を達成するため、本発明にあっては次のような第２の解決手法を採択してある。すなわち、特許請求の範囲における請求項１１に記載のように、
棚に収納された物品が側方開口部を通して外部へ飛び出すのを防止すると共に、棚に対して後付けで取付けられる物品飛び出し防止装置であって、
前記側方開口部の周縁部に沿う形状とされ、前記棚に固定される枠体と、
前記枠体の開口部を開閉するためのシャッタ部材と、
前記枠体の高所に永久磁石の磁力によって保持され、磁力による保持が失われたときに自重によって落下される重りと、
前記シャッタ部材と重りとを連結するワイヤと、
を備え、
前記重りが前記枠体の高所に保持されているときは前記シャッタ部材が前記開口部を開いた開位置とされる一方、前記重りが自重により落下するときに前記ワイヤを介して前記シャッタ部材が前記開口部を覆う閉位置に向けて変位される、
ようにしてある。上記解決手法によれば、請求項１に対応した物品飛び出し防止装置を、棚に対して後付けで構成することができる。
【発明の効果】
【００１７】
本発明によれば、棚に対する物品の出し入れに不便をきたすことがないようにしつつ、地震等によって大きな揺れが発生したときに物品が側方開口部を通して外部へ飛び出してしまうことを防止することができる。また、シャッタ部材と重りとの配置関係等の自由度の高いものとなる。
【発明を実施するための最良の形態】
【００１８】
図１、図２において、棚Ｔは、底板１と、方形の上枠部材２を有する。上枠部材２は、水平方向に延びるように配設されて、左右方向に延びる前後一対の横枠部材２Ａ、２Ｂと、左右一対の側方枠部材２Ｃ、２Ｄとを有する。
【００１９】
前側の横枠部材２Ａの左右端部からは、左右一対の前側方枠部材３Ａと３Ｂが下方へ延びて、前側方枠部材３Ａと３Ｂの各下端部は、底板１の前側左右端部に連結されている。後側の横枠部材２Ｂの左右端部からは、左右一対の後側方枠部材４Ａと４Ｂが下方へ延びて、後側方枠部材４Ａと４Ｂの各下端部は、底板１の後側左右端部に連結されている。
【００２０】
棚Ｔは、上枠部材１に固定された天板５によってその上方が覆われている。棚Ｔの側方は、上枠部材１や側方枠部材３Ａ、３Ｂ、４Ａ、４Ｂ等に固定された左右一対の側板６、７によって覆われている。また、棚Ｔは、その前後方向中間部において、左右方向に延びる仕切壁１０が、底板１から天板５付近に渡って固定配置されている。そして、仕切壁１０の前方側には、上下方向に３段の棚板１２が構成され、同様に、仕切壁１０の後方側には、上下方向に３段の棚板１３が構成されている。棚板１２、１３には、底板１も含めて、図示を略す販売用の商品が陳列される。棚Ｔは、実施形態では、前後対称に形成されて、その前後に形成される前後の側方開口部４０Ｆあるいは４０Ｒを通して、前後いずれからも棚板１２あるいは１３上の商品にアクセスできるようになっている。
【００２１】
棚Ｔの一方側側面には、揺れ感知装置Ｚが構成されている。この揺れ感知装置Ｚは、図６にも示すように、棚Ｔに一体化された上下方向に長く延びる有蓋筒状のケーシング２０と、ケーシング２０内に配置された重り２１と、重り２１の上面に一体化された永久磁石２２と、ケーシング２０の上壁部内面中央部に一体化された磁石吸着部材（実施形態では鉄系金属からなる板材）２３とを有する。永久磁石２２は、円柱状とされて、磁石吸着部材２３への吸着面となる形状が円形とされている。また、重り２１は、永久磁石２２が磁石吸着部材２３に吸着された状態（図６の状態）では、ケーシング２０に対して、その側方全周囲に空隙を有するように設定されている。換言すれば、重り２１は、ケーシング２０内において、側方に若干揺れたとしてもケーシング２０には当接しないようにされている。つまり、重り２１が揺れて、永久磁石２２の上面外周縁部のみが磁石吸着部材２３に接触する図７の状態でも、重り２１はケーシング２０と当接しないようにされている。図７の状態から、永久磁石２２が磁石吸着部材２３から離間されると、重り２１は、その自重によって、ケーシング２０内を自重によって落下される。
【００２２】
棚Ｔには、前後一対のシャッタ部材３０が装備されている。なお、以下の説明で、シャッタ部材３０を前側と後側とで区別するときは、前側のシャッタ部材３０に符合Ｆを付加し、後側のシャッタ部材３０に符合Ｒを付加して、その区別を行うものとなる。シャッタ部材３０は、例えば合成樹脂製の可撓性を有するシート状とされて、実施形態では軽量化や透視性確保の観点から、細かい目を有するメッシュ状のものが用いられている。シャッタ部材３０の有する細かい目は、棚板１２、１３に陳列される商品よりも十分に小さく設定されている（商品がシャッタ部材３０を通過できない設定）。
【００２３】
前側のシャッタ部材３０Ｆは、心材に対してロール状に巻回された状態でかつ左右方向に延びた状態で底板１の前端部下方に配置され、同様に、後側のシャッタ部材３０Ｒは、心材に対してロール状に巻回された状態でかつ左右方向に延びた状態で底板１の後端部下方に配置されている（心材は、底板１あるいは側板６，７に回転自在に保持されている）。シャッタ部材３０Ｆ、３０Ｒが巻き取られた図１に示す状態が、シャッタ部材３０Ｆ、３０Ｒが開位置にあるときで、この開位置のときは、前後の側方開口部４０Ｆ、４０Ｒは共に大きく開放されて、棚Ｔ内の陳列商品に対して自由にアクセスできることになる。
【００２４】
ロール状に巻回された前後のシャッタ部材３０Ｆ、３０Ｒをその端部から上方へ引き出すことにより、前後の側方開口部４０Ｆ、４０Ｒが閉じられる。図２には、シャッタ部材３０Ｆ、３０Ｒによって前後の側方開口部４０Ｆ、４０Ｒが途中まで閉じられている状態が示される。前側のシャッタ部材３０Ｆを上枠部材２まで引き上げることにより、前側の側方開口部４０Ｆが完全にシャッタ部材３０によって覆われて、この位置が閉位置とされる。同様に、後側のシャッタ部材３０Ｒを上枠部材２まで引き上げることにより、後側の側方開口部４０Ｒが完全にシャッタ部材３０Ｒによって覆われて、この位置が閉位置とされる。閉位置にあるシャッタ部材３０を正面から見たときの状態が図４に示され、このときシャッタ部材３０の外表面（外部に向かう面）には、棚Ｔが設置された店舗の避難方向（出口のある方向）を示す案内表示３１が施されている。案内表示は、実施形態では、方向を示す「矢印」と「出口」の文字から構成されている。
【００２５】
各シャッタ部材３０Ｆ、３０Ｒと、前述した重り２１とが、ワイヤＷを介して連結されている。この連結関係について、図１〜図３を参照しつつ説明する。まず、前側のシャッタ部材３０Ｆの左右端部に対して、ワイヤＷ１、Ｗ２の一端部が連結されている。ワイヤＷ１は、前側方枠部材３Ａに沿って上方へ延びた後、上枠部材２の前側横部材に沿って右方へ延びている。また、ワイヤＷ２は、右側の前側方枠部材３Ｂに沿って上方へ延びて、その上端部はワイヤＷ１に対して連結され、この連結部分が符合αで示される。
【００２６】
後側のシャッタ部材３０Ｒの左右端部に対して、ワイヤＷ３、Ｗ４の一端部が連結されている。ワイヤＷ３はワイヤＷ１に対応し、ワイヤＷ４はワイヤＷ２に対応しており、それぞれ枠部材に沿って延びている。そして、ワイヤＷ３とＷ４とは、符合βで示す部位にて連結されている。
【００２７】
上記連結部αとβとは、ワイヤＷ５によって連結されている。そして、ワイヤＷ５の中間部が、ワイヤＷ６を介して、重り２１の上端部に構成されたフック状の連結部２１ａに連結されている。ワイヤＷ６は、ケーシング２０の上壁部に形成された開口部２０ａを通って、ケーシング２０内の重り２１に連結されている。これにより、重り２１が落下すると、各ワイヤＷ１〜Ｗ６が図３矢印で示すように変位されて、各シャッタ部材３０Ｆ、３０Ｒが閉位置に向けて変位される。シャッタ部材３０Ｆ、、３０Ｒを開位置となるように巻き取ると、図３矢印とは反対方向に向けて各ワイヤＷ１〜Ｗ６が変位されることになる。なお、ワイヤの湾曲部位（向き変更部位）には、ガイドプーリや摩擦抵抗の小さいガイド部材が配置されて、ワイヤＷ１〜Ｗ６が、所定の軌跡に沿ってのみ変位されるようになっている。
【００２８】
前述した各ワイヤＷ１〜Ｗ５は、枠部材３Ａ、３Ｂ、４Ａ、４Ｂ、２Ａ、２Ｂ、２Ｄ内に位置するように設定されている。ワイヤＷとシャッタ部材３０と枠部材との関係について、ワイヤＷ１とシャッタ部材Ｂ３０Ｆと枠部材３Ａを例にして、図５を参照しつつ説明する。まず、枠部材３Ａは、例えばアルミニウム合金や鉄系金属によって形成されたアングル材を利用して形成されている。この枠部材３Ａに重なるようにシャッタ部材３０Ｆの側方端縁部が位置されて、この側縁部には取付補強具５０が固定されている。そして、この取付補強具５０には、枠部材３Ａ内を転動するガイドローラ５１が位置されている。また、取付補強具５０に対して、ワイヤＷ１の一端部が固定されている。ガイドローラ５１によって、シャッタ部材３０が枠部材３Ａに沿ってスムーズに移動されることになる。
【００２９】
次に、以上のような構成の作用について説明する。まず、通常時は、図１に示すように、各シャッタ部材３０がそれぞれ底板１の下方にロール状に巻き取られた収納状態つまり開位置とされる。また、重り２１は、永久磁石２２が磁石吸着部材２３に吸着していることにより、棚Ｔの高い位置に位置される（図６参照）。買い物客は、シャッタ部材３０になんら邪魔されることなく、側方開口部４０Ｆ、４０Ｒを通して、棚板１２あるいは１３上の商品にアクセスできる。また、店員が、売れた商品を補充する際にも、シャッタ部材３０になんら邪魔されることなく、側方開口部４０Ｆ、４０Ｒを通して、棚板１２あるいは１３上に新たに商品を陳列することができる。
【００３０】
いま、大きな地震が発生すると、重り２１には、揺れつまり横方向の大きな外力を受けて揺れようとし、これに伴って永久磁石２２が磁石吸着部材２３から離間されようとする。しかしながら、揺れの強さが所定値以下の小さいものであると（棚板１２、１３上の商品が、側方開口部４０Ｆ、４０Ｒを通して外部へ飛び出ない程度の小さい揺れ）、永久磁石２２が軸部２３に吸着した状態が維持されて、シャッタ部材３０は開位置を保持したままとされる。
【００３１】
揺れが所定以上に強くなると、永久磁石２２が磁石吸着部材２３から離間される。これにより、重り２１は落下し（図８参照）、これに伴って、ワイヤＷ１〜Ｗ６を介してシャッタ部材３０が上方へ引き出されて、図２に示す状態を経た後、図４に示す閉位置とされる。シャッタ部材３０が閉位置とされることによって、棚板１２、１３上の商品が、側方開口部４０Ｆ、４０Ｒを通して外部へ飛び出ることが確実に防止される。シャッタ部材３０が閉位置になると、図４に示すように、避難方向が表示されるので、棚Ｔの周囲にいる者を安全に避難させる上で好ましいものとなる。
【００３２】
大きな揺れが収まった後は、例えば、図２に示すように、回転治具６０をシャッタ部材３０の巻き取り中心（巻き取り用心材）の端部にあてがって、シャッタ部材３０を元の開位置へ復帰させればよい。なお、前述した実施形態では、回転治具６０を利用した巻き取りは、前後一対のシャッタ部材３０Ｆ、３０Ｒに対してそれぞれ同時に行うことになる。
【００３３】
図９，図１０は、本発明の第２の実施形態を示すものであり、前記実施形態と同一構成要素には同一符合を付してその重複した説明は省略する（このことは以下の第３の実施形態以下についても同じ）。本実施形態では、前後のシャッタ部材３０Ｆと３０Ｒとが、連動機構７０を介して連動されている。すなわち、底板１の下方において、前後のシャッタ部材３０Ｆ、３０Ｒ（の心材）と一体回転するスプロケット７１Ｆ、７１Ｒを設ける一方、前後中間位置において、互いに噛合する一対のギア７２Ｆ、７２Ｒを設けてある。そして、スプロケット７１Ｆとギア７２Ｆに一体化されたスプロケット７３Ｆとに対して、チェーン７４Ｆが巻回されている。また、スプロケット７１Ｒとギア７２Ｒに一体化されたスプロケット７３Ｒとに対して、チェーン７４Ｒが巻回されている。これにより、一方のギア、例えばギア７２Ｒ（スプロケット７３Ｒ）に対して、回転治具６０によって回転させることによって、前後のシャッタ部材３０Ｆと３０Ｒとを、同時に閉位置から開位置へと巻き戻すことができる。なお、ギア７２Ｆ、７２Ｒよりも高い位置にさらに別のスプロケットを設けて、この別のスプロケットと例えばギア７２Ｒ用のスプロケット７３Ｒとに渡ってチェーンを巻回することにより、高い位置にある別のスプロケットを回転治具６０によって回転操作することにより、前後のシャッタ部材３０ｆと３０Ｒとを同時に開位置に向けて巻き取ることができる（回転操作位置を操作し易い高い位置に設定する）。なお、チェーン７４Ｆ、７４Ｒに代えて、歯付ベルト等の適宜の巻掛け媒介説を用いることもできる。
【００３４】
図１１は、本発明の第３の実施形態を示すものである。本実施形態では、１つのシャッタ部材３０（３０Ｆ、３０Ｒ）を、上下の分割構成としてある。すなわち、シャッタ部材３０は、上分割シャッタ部材３０Ｕと、下分割シャッタ部材３０Ｄとされている。開位置においては、上分割シャッタ部材３０Ｕは棚Ｔの上端部、より具体的には天板５上にロール状に巻き取られた状態とされ、下分割シャッタ部材３０Ｄは棚Ｔの下端部、より具体的には底板１の下方）にロール状に巻き取られた状態とされる。そして、閉位置とされる際には、上分割シャッタ部材３０Ｕが下方へ向けて変位され、下分割シャッタ部材３０Ｄは上方へ向けて変位される。なお、上分割シャッタ部材３０Ｕと下分割シャッタ部材３０Ｄとは、共通の１つの重り２１に対してワイヤを介して連結されている。本実施形態では、側方開口部を極力早く閉位置とするのに好適となる。なお、上分割シャッタ部材３０Ｕ用のワイヤは、一旦下方へ延びた後、枠部材に回転自在に保持されたプーリ（図示略）部分を通って上方へ折り返された後、重り２１に連結される。
【００３５】
図１２は、本発明の第４の実施形態を示すものである。本実施形態では、既存の棚Ｔに対して、後付けで物品飛び出し防止装置Ｇを取付けることのできるようにしたもので、シャッタ部材３０や揺れ感知装置をユニット化したものとなっている。すなわち、後付け用の物品飛び出し防止装置Ｇは、方形の枠体９０を有する。枠体９０の一側方に、揺れ感知装置Ｚが設けられる。また、枠体９０の下端部内に、ロール状に巻き取られたシャッタ部材３０が配設される。枠体９０の下方から、シャッタ部材３０の先端部が引き出されるようになっている（引き出し用のスリットを枠体９０に設けてもよい）。すなわち、シャッタ部材３０は、上方へ向けて変位することによって枠体９０によって囲まれた開口部９０ａ（側方開口部３０Ｆ、３０Ｒに対応）を全体的に閉じる閉位置とされる。回転治具６１を利用してシャッタ部材３０を巻き戻すことにより、閉位置にあったシャッタ部材３０が開位置に復帰される。このような物品飛び出し防止装置Ｇは、既存の棚Ｔに対して、その側方開口部４０Ｆの外周縁部を枠体９０で囲むようにして、ねじ等の固定具によって固定して使用される。
【００３６】
図１３は、本発明の第５の実施形態を示すものである。本実施形態では、重り２１の下方への変位量を小さくしつつ、シャッタ部材３０の大きな変位量を確保するようにしたものである。すなわち、ケーシング２０内には、高い位置において固定具１００が固定され、この固定具１００に対して、ワイヤＷ（図３のＷ６に相当）の先端部が固定されている。ケーシング２０内には、浮動式のプーリ１０２は配設されている。そして、ケーシング２０内に導入されたワイヤＷは、プーリ１０１をその下方を通るように経由して１８０度折り返されて、固定具１００に固定されている。プーリ１０１が回転自在に連結された保持具１０２には、その下端部において重り２１が固定される一方、その上端部には永久磁石２２が固定されている。重り２１の下方への変位量に対して、ワイヤＷは重り２１の変位量の倍だけ変位される。つまり、シャッタ部材３０を開位置から閉位置まで変位させるのに必要な長さをＬとしたとき、重り２１はＬ／２だけ変位させればよいことになる。このことは、例えばケーシング２０の上下方向長さを、棚Ｔの高さに対して十分短く設定することが可能となる。
【００３７】
以上実施形態について説明したが、本発明は、実施形態に限定されるものではなく、特許請求の範囲の記載された範囲において適宜の変更が可能であり、例えば次のような場合をも含むものである。永久磁石をケーシング２０側（棚Ｔ側）に固定配置するようにしてもよい。ケーシング２０は、合成樹脂や金属等適宜の材質で形成することができ、特に例えば鉄系金属のような磁性材料となる金属を用いたときは、ケーシング２０そのもので磁石吸着部材２３を兼用させることができる。また、ケーシング２０を有しないものであってもよい。揺れ感知装置Ｚ、特に重り２１や永久磁石２２の配設位置は適宜設定することができ、例えば棚Ｔの中央部（例えば仕切壁１０内）や、側方開口部が正面のみに有する棚にあってはその背面に配設する等、適宜の位置を選択することができる。
【００３８】
開位置にあるシャッタ部材３０は、棚Ｔの底板１に沿ってその下方に配設するようにしてもよい（巻き取りなし）。複数のシャッタ部材３０のそれぞれに対して、重り２１（およびこれに対応した永久磁石）を設けるようにしてもよい。棚Ｔとしては、扉を有するものであってよく、この場合は、シャッタ部材３０は、閉位置とされたときに、閉じ位置にある扉を覆うように配設すればよい。棚Ｔとしては、販売用商品の陳列用に限らず、例えば、鑑賞用物品（例えば美術品）や趣味の置物を置くためのもの等、適宜の用途のものであってもよい。シャッタ部材３０は、可撓性を有するシート状に限らず、例えば、左右方向に長く延びる細幅の硬質部材を多数互いに揺動可能に連結して巻き取り可能にしたもの等、適宜のものを用いることができる。図１３に示すように重り２１の変位量とシャッタ部材３０の変位量とを相違させるには、例えば歯車機構を用いる等、適宜の手法によってなし得るものである。ワイヤＷと重り２１とをフック等によって着脱自在に連結するようにしてもよく、この場合は、例えば閉位置にあるシャッタ部材を開位置に戻す作業を、ワイヤＷと重り２１との連結を解除した状態としておくことによって小さな力で行えることになる。勿論、本発明の目的は、明記されたものに限らず、実質的に好ましいあるいは利点として表現されたものを提供することをも暗黙的に含むものである。
【図面の簡単な説明】
【００３９】
【図１】本発明が適用された棚の一例を示す斜視図。
【図２】図１の状態から天板および側板を取外した状態で、シャッタ部材が閉位置へ向けて変位されている途中状態を示す斜視図。
【図３】シャッタ部材と重りとの連結例を示す図。
【図４】シャッタ部材が閉位置とされた状態を示す正面図。
【図５】図２のＸ５−Ｘ５線相当断面図。
【図６】揺れ感知装置の一例を示す要部断面図。
【図７】図６に示す重りが水平方向に揺れた状態を示す要部断面図。
【図８】図６に示す重りが自重によって落下している状態を示す要部断面図。
【図９】本発明の第２の実施形態を示すもので、棚の側面図。
【図１０】図９に構成された連動機構の詳細を示す要部拡大図。
【図１１】本発明の第３の実施形態を示す正面図。
【図１２】本発明の第４の実施形態を示す斜視図。
【図１３】本発明の第５の実施形態を示す要部断面図。
【符号の説明】
【００４０】
Ｔ：棚
Ｘ：揺れ感知装置
Ｇ：物品飛び出し防止装置
Ｗ（Ｗ１〜Ｗ６）：ワイヤ
α、β：ワイヤの連結部
１：底板
２：上枠部材
３Ａ、３Ｂ  ４Ａ、４Ｂ：枠部材
５：天板
６，７：側板
１０：仕切壁
１２、１３：棚板
２０：ケーシング
２１：重り
２２：永久磁石
２３磁石吸着部材
３０（３０Ｆ、３０Ｒ）：シャッタ部材
３０Ｕ：上分割シャッタ部材
３０Ｄ；下分割シャッタ部材
４０Ｆ：前側方開口部
４０Ｒ：後側方開口部
７０：連動機構
９０：枠体
９０ａ：開口部
【図１】
2009261449.tif 000003
【図２】
2009261449.tif 000004
【図３】
2009261449.tif 000005
【図４】
2009261449.tif 000006
【図５】
2009261449.tif 000007
【図６】
2009261449.tif 000008
【図７】
2009261449.tif 000009
【図８】
2009261449.tif 000010
【図９】
2009261449.tif 000011
【図１０】
2009261449.tif 000012
【図１１】
2009261449.tif 000013
【図１２】
2009261449.tif 000014
【図１３】
2009261449.tif 000015